(57)【要約】【課題】栽培土を農事用ビニルやフィルム被覆材で覆った場合に、栽培する作物を植え付けるための穴を開ける作業を、楽に、かつ、すばやく行うことができ、また、植え付ける作物に合わせた大きさの穴を開けることができる簡易な穴開け治具と、それを用いた穴開け方法の開発が求められていた。【解決手段】本発明の穴開け治具１は、円筒状の形状で端部に切削用の刃２を備えた壁体３と、壁体３の中心軸となる軸芯部１１とで構成される。また、軸芯部１１はハンドドリルに装着して回転軸となるドリルチャック５と、穴開け対象に対し中心の位置決めとせん孔を開けるためのセンタードリル４とで構成される。切削用の刃２は、刃先部の先端を中心に左右対称の等辺山形の形状を有し、その両辺を切削刃としていることを特徴とする。【選択図】図１
2007259798.tif 000002
【特許請求の範囲】
【請求項１】
端部に切削用の刃を備えた円筒状の本体と、この刃の中心軸となる軸芯部とにより構成され、軸芯部の一端をハンドドリル等に装着して穴開け作業を行う穴開け治具であって、前記切削用の刃は、刃先の先端を中心に左右対称の形状を有することを特徴とする穴開け治具。
【請求項２】
切削用の刃先は、円周方向の先端角度が１０〜２０°であることを特徴とする請求項１記載の穴開け治具。
【請求項３】
切削部の刃の厚みが０．１〜０．３ｍｍであることを特徴とする請求項１または２記載の穴開け治具。
【請求項４】
切削用の刃の頂頭部が円周方向に１〜２ｍｍの平坦または丸みを帯びた形状であることを特徴とする請求項１〜３のいずれかに記載の穴開け治具。
【請求項５】
切削用の刃の形状が等辺山形であり、その角度が１１０〜１６０°であることを特徴とする請求項１から４のいずれかに記載の穴開け治具。
【請求項６】
切削用の刃の形状が正弦波形状であることを特徴とする請求項１から４のいずれかに記載の穴開け治具。
【請求項７】
請求項１から６のいずれかに記載の穴開け治具を用いた穴開け方法であって、円盤状で中心に穴開け治具の軸芯部を通す丸穴を有し、外径が穴開け治具円筒部内径よりも小さい切込み深さ調整板を、穴開け治具の円筒部内側に装着して行うことを特徴とする穴開け方法。
【請求項８】
請求項１から６のいずれかに記載の穴開け治具を用いた穴開け方法であって、円盤状で中心に穴開け治具の軸芯部を通す丸穴を有し、外径が穴開け治具円筒部内径よりも小さく、厚さの異なる複数の切込み深さ調整板を用意し、穴開け対象の状態により穴開け治具の円筒部内側に装着する切込み深さ調整板の厚さを変えることを特徴とする穴開け方法。
【請求項９】
請求項１から６のいずれかに記載の穴開け治具を用いた穴開け方法であって、使用する穴開け治具が通過できる径の丸穴を１枚の板に設けた穴開けガイド板を用意し、穴開けの際に前記穴開けガイド板の丸穴に穴開け治具をあてがって行う穴開け方法。
【請求項１０】
前記穴開けガイド板の下面に滑り防止材を設け、滑り防止材を設けた面を穴開け対象物に接触させることを特徴とする請求項９記載の穴開け方法。
【請求項１１】
７〜１５ｍｍの厚さを有する前記穴開けガイド板を用いることを特徴とする請求項９または１０記載の穴開け方法。
【請求項１２】
穴開け治具の外径より４〜６ｍｍ大きい直径の丸穴を有する前記穴開けガイド板を用いることを特徴とする請求項９から１１のいずれかに記載の穴開け方法。
【請求項１３】
複数の丸穴を所定間隔で整列して設けた穴開けガイド板を用いることを特徴とする請求項９から１２のいずれかに記載の穴開け方法。
【発明の詳細な説明】
【技術分野】
【０００１】
作物栽培等の農業における近代化のために種々考案された農事用ビニルやフィルム被覆材、あるいは袋に栽培土を入れた栽培用土のう等の被覆材を活用しての作物育成の促進や、科学機器による育成促進及びその管理化が図られている。
【０００２】
本発明は、苗の植え付けや育成促進及びその管理の科学機器設置に際して農事用ビニルやフィルム被覆材に穴開けを必要とし、その農事用ビニルやフィルム被覆材の穴開けに関する。
【背景技術】
【０００３】
被覆材の穴開けには、作業現場で穴開けが出来る様に事前にミシン目が入った土のう（例えば、特許文献１参照）もある。
【０００４】
また、ガスバーナー（火口）によって加熱した加熱円筒により農事用ビニルやフィルム被覆材を溶かして穴開けをする器具（例えば、特許文献２参照）も開発されている。
【０００５】
従来の農事用ビニルやフィルム被覆材の穴開け技術について特許文献１を例に、図７、図８に基づいて説明する。
【０００６】
本技術は図７に示す様に、栽培土を内部に入れた袋状の土のうを活用する技術であり、従来の切込み式植え付け穴の場合の切り口から内部の栽培土が外に流出するのを防止するために、栽培土の入った袋壁の内側を「ひ」の字状に折り曲げた形状の栽培土のう袋体１０１とし、所々に設ける植物の植込み用ポケット１０５の部位を除いて、その土のうの上部を縫合して縫合部１０３としてある。更に補強措置として縫合部１０３の上を補強テープ１０４で縫いつけて一体化して利用するものである。補強テープ１０４にはミシン目が入れてあり、そのくぼみ状の植込み用ポケット１０５の上部で補強テープ１０４のミシン目を裂き、くぼみ状の植込み用ポケット１０５を植物の植込み用の穴として使用するものである。
【０００７】
多数苗の複列植え込みに際しては、図８に示す様に複列ポケット式栽培土のう袋体１０２に上記の植込み用ポケット１０５を多数で複数列設けている。その多数の植込み用ポケット１０５を作るための作業手間と袋材料とを多量に要し、また植え付け作物の大きさ毎に袋の形状が限定される。
【０００８】
更には、多数苗の複列植え込みに際して、土のう一袋当たりの植込み用ポケット１０５の大きさと数や配列が工場製作での製品であることから一定しており、現場合わせの植え付け穴配列ではなく、また作物の大きさに適した土のうの大きさとはならない場合があり、必ずしも栽培者が欲している生育ピッチや土のうの大きさに合致するものではないことから、栽培物に対しての汎用性に欠け、余分なコストが掛かることとなる。
【０００９】
また、別の従来の農事用ビニルやフィルム被覆材の穴開け技術について特許文献２を例に、図９に基づいて説明する。
【００１０】
この技術は、ガスを燃焼して高温に過熱した器具で、農事用ビニルやフィルム被覆材を溶融して穴を開けるためのものである。
【００１１】
本設備は、ガスを燃焼させて加熱する火口部２０４を装備した金属製の加熱円筒２０５を有した手持ち式の本体２０１と、手持ち式のガスボンベホルダー器具２１１の２部位で構成され、この２部位はガス誘導管２３１で接続されている。
【００１２】
この農事用ビニルやフィルム被覆材を、ガスを燃焼して高温に過熱した器具で溶融して穴を開ける手順は、手持ち式のガスボンベホルダー２１２のガス開閉バルブ２１３を開き、次に火口部２０４の脇から種火をかざしながら、本体側ガス開閉バルブ２０３を開いてガスに着火して金属製の加熱円筒２０５を過熱し、ガスの火力は本体側ガス開閉バルブ２０３の開度により手元で調節する。この金属製の加熱円筒２０５が十分に過熱された時点で、本体２０１の取っ手２０６を持って、農事用ビニルやフィルム被覆材に加熱円筒２０５を当てて、これを溶融して穴を開けるものである。
【００１３】
移動に際しては、手持ち式の本体２０１、及び、手持ち式のガスボンベホルダー器具２１１を手に持って移動する。
【００１４】
この技術は火力を使用するため、火を止めても金属製の火口部２０４や加熱円筒２０５が冷却するのに時間を要することから、作業者の不注意からの火傷の不安があり、あるり、また、夏場に於いては人体の傍で火気を使用することから、その熱さが耐え難いという作業環境の悪化がある。
【００１５】
また、１日に数百から２〜３千個の穴開けをすることから、農事用ビニルやフィルム被覆材が溶けて発生する有害ガスの人体への影響も懸念されることに加え、ハウス内でこの技術を使用する場合には、ガスボンベを使用することから、ガス漏れが発生した場合に作業者にガス中毒や酸素欠乏症等の危険が生じる懸念がある。
【特許文献１】特開２００１−２１１７５５号公報
【特許文献２】特開平７−８７８４９号公報
【発明の開示】
【発明が解決しようとする課題】
【００１６】
この様な従来の技術においては、特許文献１の例では、ポケット状のくぼみを作ることから包み込みという形状から製作に際して多くの材料と加工手間を要し、また工場製作品であることから現場合わせの穴配列ではないため必ずしも栽培者が欲している生育ピッチに合致するものではなく、また植え付け作物の大きさに適した土のうの大きさとはならない場合があることから余分なコストが掛かる。一方、特許文献２の例では、作業者の不注意からの火傷の不安や、火気の使用による夏場の熱さや有害ガス発生等の作業環境の悪化が課題としてある。
【００１７】
本発明は、この様な従来の課題を解決するもので、栽培土を農事用ビニルやフィルム被覆材で覆われた場合に、栽培する作物を植え付けるための穴を開ける作業を、また腕力の弱い高齢者や女性でも楽に、かつ、すばやく行うことができ、また、植え付ける作物に合わせた大きさの穴を開けることができる簡易な穴開け治具とそれをもちいた穴開け方法を提供することを目的としている。
【課題を解決するための手段】
【００１８】
本発明の穴開け治具は上記目的を達成するために、端部に切削用の刃を備えた円筒状の本体と、この刃の中心軸となる軸芯部とにより構成され、軸芯部の一端をハンドドリル等に装着して穴開け作業を行う穴開け治具であって、前記切削用の刃は、刃先の先端を中心に左右対称の形状を有することを特徴とするものである。
【００１９】
この手段により、ドリルの回転方向に関係なく穴開け作業が可能となる穴開け治具が得られる。
【００２０】
また、本発明の穴開け治具は、上記目的を達成するために、切削用の刃先は、円周径方向の先端角度が１０〜２０°であることを特徴とするものである。この手段により、農事用ビニルやフィルム被覆材に対して効率的に穴開け作業が可能となる。
【００２１】
また、本発明の穴開け治具は、上記目的を達成するために、切削部の刃の厚みが０．１〜０．３ｍｍであることを特徴とするものである。この手段により、農事用ビニルやフィルム被覆材に対して効率的に穴開け作業が可能となる。
【００２２】
また、本発明の穴開け治具は、上記目的を達成するために、切削用の刃の頂頭部が円周方向に１〜２ｍｍの平坦または丸みを帯びた形状であることを特徴とするものである。この手段により取扱い時の安全性を確保することが出来る。
【００２３】
また、本発明の穴開け治具は、上記目的を達成するために、切削用の刃の形状が等辺山形であり、その角度が１１０〜１６０°であることを特徴とするものである。この手段により、農事用ビニルやフィルム被覆材に対して効率的に、また、穴開け治具の回転方向に関係なく穴開け作業が可能となる。
【００２４】
また、本発明の穴開け治具は、上記目的を達成するために、切削用の刃の形状が正弦波形状であることを特徴とするものである。この手段により、農事用ビニルやフィルム被覆材に対して効率的に、また、穴開け治具の回転方向に関係なく穴開け作業が可能となる。
【００２５】
また、本発明の穴開け方法は、上記目的を達成するために、請求項１から６のいずれかに記載の穴開け治具を用いた穴開け方法であって、円盤状で中心に穴開け治具の軸芯部を通す丸穴を有し、外径が穴開け治具円筒部内径よりも小さい切込み深さ調整板を、穴開け治具の円筒部内側に装着して行うことを特徴とするものである。この手段により、上記の穴開け治具を用いて被覆材を切削する際に、必要以上に深く切削することなく穴開け作業ができる。
【００２６】
また、本発明の穴開け方法は、上記目的を達成するために、請求項１から６のいずれかに記載の穴開け治具を用いた穴開け方法であって、円盤状で中心に穴開け治具の軸芯部を通す丸穴を有し、外径が穴開け治具円筒部内径よりも小さく、厚さの異なる複数の切込み深さ調整板を用意し、穴開け対象の状態により穴開け治具の円筒部内側に装着する切込み深さ調整板の厚さを変えることを特徴とするものである。この手段により、上記の穴開け治具を用いて被覆材を切削する際に、切削対象の状態によって切削深さを調整できる穴開け方法を提供できる。
【００２７】
また、本発明の穴開け方法は、上記目的を達成するために、請求項１から６のいずれかに記載の穴開け治具を用いた穴開け方法であって、使用する穴開け治具が通過できる径の丸穴を１枚の板に設けた穴開けガイド板を用意し、穴開けの際に前記穴開けガイド板の丸穴に穴開け治具をあてがって行うものである。この手段により、薄い農事用ビニルやフィルム被覆材に対して効率的、かつ、きれいに穴開け作業が出来る。
【００２８】
また、本発明の穴開け方法は、上記目的を達成するために、前記穴開けガイド板の下面に滑り防止材を設け、滑り防止材を設けた面を穴開け対象物に接触させることを特徴とするものである。この手段により、薄い農事用ビニルやフィルム被覆材に対して効率的、かつ、きれいに穴開け作業が出来る。
【００２９】
また、本発明の穴開け方法は、上記目的を達成するために、７〜１５ｍｍの厚さを有する前記穴開けガイド板を用いることを特徴とするものである。この手段により、薄い農事用ビニルやフィルム被覆材に対して効率的、かつ、きれいに穴開け作業が出来る。
【００３０】
また、本発明の穴開け方法は、上記目的を達成するために、穴開け治具の外径より４〜６ｍｍ大きい直径の丸穴を有する前記穴開けガイド板を用いることを特徴とするものである。この手段により、薄い農事用ビニルやフィルム被覆材に対して効率的、かつ、きれいに穴開け作業が出来る。
【００３１】
また、本発明の穴開け方法は、上記目的を達成するために、複数の丸穴を所定間隔で整列して設けた穴開けガイド板を用いることを特徴とするものである。この手段により、効率よく、きれいに穴開け作業が出来る。
【発明の効果】
【００３２】
本発明によれば作業性と経済性を考慮して、より安価なコストで、また腕力の弱い高齢者や女性でも楽に使用ができること様に配慮した、農事用ビニルやフィルム被覆材の穴開け用治具とそれを用いた穴開け方法を提供できる。
【発明を実施するための最良の形態】
【００３３】
本発明の請求項１記載の穴開け治具は、端部に切削用の刃を備えた円筒状の本体と、この刃の中心軸となる軸芯部とにより構成され、軸芯部の一端をハンドドリル等に装着して穴開け作業を行う穴開け治具であって、前記切削用の刃は、刃先の先端を中心に左右対称の形状を有することを特徴とするものであり、ドリルの回転方向に関係なく穴開け作業が可能となる穴開け治具が得られる。
【００３４】
本発明の請求項２記載の穴開け治具は、切削用の刃先は、円周方向の先端角度が１０〜２０°であることを特徴とするものであり、農事用ビニルやフィルム被覆材に対して効率的に穴開け作業が可能となるものである。
【００３５】
本発明の請求項３記載の穴開け治具は、切削部の刃の厚みが０．１〜０．３ｍｍであることを特徴とするものであり、農事用ビニルやフィルム被覆材に対して効率的に穴開け作業が可能となる。
【００３６】
本発明の請求項４記載の穴開け治具は、切削用の刃の頂頭部が円周方向に１〜２ｍｍの平坦または丸みを帯びた形状であることを特徴とするものであり、取扱い時の安全性を確保することが出来る。
【００３７】
本発明の請求項５記載の穴開け治具は、切削用の刃の形状が等辺山形であり、その角度が１１０〜１６０°であることを特徴とするものであり、農事用ビニルやフィルム被覆材に対して効率的に、また、穴開け治具の回転方向に関係なく穴開け作業が可能となる。
【００３８】
本発明の請求項６記載の穴開け治具は、切削用の刃の形状が正弦波形状であることを特徴とするものであり、薄い農事用ビニルやフィルム被覆材に対して効率的に、また、穴開け治具の回転方向に関係なく穴開け作業が可能となる。
【００３９】
本発明の請求項７記載の穴開け方法は、請求項１から６のいずれかに記載の穴開け治具を用いた穴開け方法であって、円盤状で中心に穴開け治具の軸芯部を通す丸穴を有し、外径が穴開け治具円筒部内径よりも小さい切込み深さ調整板を、穴開け治具の円筒部内側に装着して行うことを特徴とするものであり、上記の穴開け治具を用いて被覆材を切削する際に、必要以上に深く切削することなく穴開け作業ができる。
【００４０】
本発明の請求項８記載の穴開け方法は、請求項１から６のいずれかに記載の穴開け治具を用いた穴開け方法であって、円盤状で中心に穴開け治具の軸芯部を通す丸穴を有し、外周径が穴開け治具円筒部内径よりも小さく、厚さの異なる複数の切込み深さ調整板を用意し、穴開け対象の状態により穴開け治具の円筒部内側に装着する切込み深さ調整板の厚さを変えることを特徴とするものであり、上記の穴開け治具を用いて被覆材を切削する際に、切削対象の状態によって切削深さを調整できる穴開け方法を提供できる。
【００４１】
本発明の請求項９記載の穴開け方法は、請求項１から６のいずれかに記載の穴開け治具を用いた穴開け方法であって、使用する穴開け治具が通過できる径の丸穴を１枚の板に設けた穴開けガイド板を用意し、穴開けの際に前記穴開けガイド板の丸穴に穴開け治具をあてがって行うものであり、薄い農事用ビニルやフィルム被覆材に対して効率的、かつ、きれいに穴開け作業が出来る。
【００４２】
本発明の請求項１０記載の穴開け方法は、前記穴開けガイド板の下面に滑り防止材を設け、滑り防止材を設けた面を穴開け対象物に接触させることを特徴とするものであり、薄い農事用ビニルやフィルム被覆材に対して効率的、かつ、きれいに穴開け作業が出来る。
【００４３】
本発明の請求項１１記載の穴開け方法は、７〜１５ｍｍの厚さを有する前記穴開けガイド板を用いることを特徴とするものであり、薄い農事用ビニルやフィルム被覆材に対して効率的、かつ、きれいに穴開け作業が出来る。
【００４４】
本発明の請求項１２記載の穴開け方法は、穴開け治具の外径より４〜６ｍｍ大きい直径の丸穴を有する前記穴開けガイド板を用いることを特徴とするものであり、薄い農事用ビニルやフィルム被覆材に対して効率的、かつ、きれいに穴開け作業が出来る。
【００４５】
本発明の請求項１３記載の穴開け方法は、複数の丸穴を所定間隔で整列して設けた穴開けガイド板を用いることを特徴とするものであり、効率よく、きれいに穴開け作業が出来る。
【００４６】
（実施の形態１）
以下、本発明の実施の形態１について図１から図３を用いて説明する。
【００４７】
図１に示すように、本発明の穴開け治具１は、円筒状の形状で端部に切削用の刃体２を備えた壁体３と、壁体３の中心軸となる軸芯部１１とで構成される。また、軸芯部１１はハンドドリル３１に装着して回転軸となるドリルチャック５と、穴開け対象に対し中心の位置決めとせん孔を開けるためのセンタードリル４とで構成される。切削用の刃体２は、図２（ａ）、（ｂ）に示す様に刃先部８の先端を中心に左右対称の等辺山形の形状を有し、その両辺を切削刃としている。この穴開け治具１は、図３に示すように、ハンドドリル３１などの先端にドリルチャック５を差し込んで固定して使用するものであって、所謂ホルソーと同様に穴開け治具外径６の径の穴を開ける作業に使用することができる。
【００４８】
本実施の形態の穴開け治具１の詳細について説明する。
【００４９】
本発明の穴を開ける対象となる農事用ビニルやフィルム被覆材は、通常１ｍｍ未満でカッター等を用いれば手作業でも簡単に切断が可能なものである。そのため、穴開け治具１には鋭利な刃先は必要がない。切削用の刃体２は、図２（ａ）、（ｂ）に示す様に刃先部８の先端を中心に左右対称の等辺山形の形状を有し、その各辺は軸芯部１１と垂直面に対し１１０〜１６０°の角度を有している。また、刃先は円周方向に１０〜２０°の角度でクサビ状となっており、切削用の刃先部８の厚みが０．１〜０．３ｍｍ、切削用刃の頂頭部が幅１〜２ｍｍの平坦または丸みを帯びた形状を有する。
【００５０】
本実施の形態の穴開け治具１は、刃先部８が先端を中心に左右対称の形状を有し、その両辺を切削刃としていることによって、正回転方向でも逆回転方向でも切削が可能である。これにより、刃先部８の両側を切削に使用するため、切削対象の農事用ビニルやフィルム被覆材、および栽培土との摩擦により刃先が磨耗して切削効果が低下する期間を延ばすことができ、経済性及び作業性に優れる。
【００５１】
また、刃先が鋭角過ぎると栽培土を切削する刃先の磨耗が早くなり経済的ロスが大きく、また刃先で手を切る等、作業者の危険度も増すこととなる。一方、鈍角過ぎる場合には農事用ビニルやフィルム被覆材に対しての切削抵抗が大きくなり切削能力が低下する。そのため、円周方向の刃先の先端角度は１０〜２０°とした。
【００５２】
また、刃先の角度と同様に、切削部の刃先の厚みについても包丁の刃の様に鋭利にすると切削能力が一段と増すが、手を切る等の作業者の危険度も増すこととなる。そのため、農事用ビニルやフィルム被覆材に対する切削性能を確保し、かつ、作業の安全性を増すように、刃先の厚みが０．１〜０．３ｍｍであって平坦または丸みを帯びた形状とした。
【００５３】
また、同様に、刃先の頂頭部も鋭角にすると切削能力が一段と増すが、作業者の危険度も増すこととなる。そのために刃先部８の頂頭部を尖った形状にせず、図２（ａ）、（ｂ）及び図２（ｃ）、（ｄ）に示す様に円周方向に約１〜２ｍｍ程度の長さで刃先部８を平坦か丸型に研磨して鋭利さを緩くした。
【００５４】
上記構成によって、安全で農事用ビニルやフィルム被覆材の切削に適し、また、回転方向に関係なく切削が可能な穴開け治具を提供することができる。
【００５５】
なお、本実施の形態による穴開け治具１は、小型の電池式電動ドリルのほか、商用電源を用いた電動ドリル、手動のドリル等、装着するドリル等は色々な種類のものに用いることが可能である。
【００５６】
また、切削用の刃の形状は、図２（ｃ）、（ｄ）に示すように、正弦波形状でもよい。
【００５７】
（実施の形態２）
以下、本発明の実施の形態２について図３、図４を用いて説明する。実施の形態１で示した構成要素と同じのものは同一符号を付し、詳細な説明を省略する。
【００５８】
図４に示すように、切込み深さ調整板４１は、円盤状で中心に中心穴４４が設けられ、その外径が穴開け治具１の壁体３の内径未満のものである。この切込み深さ調整板４１の中心穴４４に穴開け治具１のセンタードリル４を通し、壁体３の内壁とで拘束する。外す際には、壁体３の側面に設けた穴開け治具側壁開口部７を用いて脱離させたり、壁体３の底面に穴を設けて押し出しても良い。
【００５９】
切削する対象はビニルシート等の薄いものであるため、切削する深さは必要がない。従って、この切込み深さ調整板４１を装着した穴開け治具１によって切込み深さ４２を調整し、適切な位置よりも深く切削しないようにでき、作業ロスの低減にもつながる。また、栽培土を入れた栽培用土のう等を切削し、穴を開ける場合、壁体３の内部に切削後のビニルや、栽培土が残る。これらの壁体３の内部に付着したものを取り除く際にも、切込み深さ調整板４１を外すことによって除去することが簡単にできる。
【００６０】
また、切込み深さ調整板４１は、厚さの異なるものを複数用意しておくと、切削対象の栽培土の状態によっては作業効率の改善につながる。栽培土の水分含有率が低い場合には、壁体３に付着する土の量も少ないため、薄めの切込み深さ調整板４１を装着して穴開け作業を行えば、穴開け治具１の清掃メンテの頻度が少なくて済む。ところが、栽培土の水分含有率が高い場合、切込み深さ４２が大きいと穴開け治具１への土の付着が多くなって切削の作業性が低下するため、切込み深さを浅く調整する。すなわち、厚い切込み深さ調整板４１を装着することで壁体３内に土の付着を防止することが可能である。
【００６１】
なお、この場合、図４（ｃ）に示す様に薄い切込み深さ調整板４１を複数枚用意して、装着する切込み深さ調整板４１の枚数によって切込み深さ４２を調整しても同様の効果が得られる。
【００６２】
（実施の形態３）
以下、本発明の実施の形態３について図５及び図６を用いて説明する。実施の形態１、２で示した構成要素と同じのものは同一符号を付し、詳細な説明を省略する。
【００６３】
図５及び図６に示すように本実施の形態で用いる穴開けガイド板５１は、使用する穴開け治具１が通過できる様に穴開け治具１の壁体３の外径（穴開け治具外径６）より４〜６ｍｍ大きい直径のガイド穴５２を設け、板厚が７〜１５ｍｍのガイド板であり、穴開けの際にこのガイド板のガイド穴５２に穴開け治具１をあてがって穴開けを行うものである。
【００６４】
また、穴開けガイド板の下面には滑り防止材５３を設け、滑り防止材５３を設けた面を穴開け対象物に接触させて使用する。
【００６５】
上記構成による穴開け方法を示す。滑り防止材５３を設けた穴開けガイド板５１の下面を穴開け対象物（農事用ビニルやフィルム被覆材５７）に接触させ、上面から抑え付ける。このとき、穴開けガイド板５１と農事用ビニルやフィルム被覆材５７との間に隙間がある場合には、滑り防止材５３の効果が低下し、農事用ビニルやフィルム被覆材５７の緩みやズレによる穴の配列変形や、被覆材の切片が穴開け治具１に巻き付きを生じる場合があるため、これを防止するために穴開けガイド板５１を人為的に押さえ付けて密着させ、隙間がない様にする。この状態で穴開けガイド板５１のガイド穴５２に電動ドリル等に装着した穴開け治具１をあてがって穴開け作業を行う（図６には、穴開けガイド板５１に穴開け治具１をあてがった図を示す）。
【００６６】
上記方法によれば、穴開けガイド板５１によって穴開け位置を特定することができ、さらに、滑り防止材５３によって農事用ビニルやフィルム被覆材５７がしっかりと押さえ付けられ、切削時の回転運動によってビニルシートがよじれることがなく、また、被覆材の緩みやズレによる穴の配列変形や、被覆材の切片が穴開け治具１に巻き付きにくく、きれいな穴開けが可能となる。
【００６７】
また、近年の農業は殊に泥汚れの発生が少ない作業環境が求められており、農事用ビニルやフィルム被覆材５７の穴開け後に穴開け治具１を引抜く際の泥の飛散防止が求められる。穴開けガイド板５１のガイド穴５２の径を、穴開け治具１の外径よりも４〜６ｍｍ大きくすることで、農事用ビニルやフィルム被覆材５７の穴開けの配列精度を維持しながら穴開け治具の抜き差しが容易となる。また穴開けガイド板５１の板厚（７〜１５ｍｍ）により穴開け治具１を引抜く際の泥落としの効果が得られ、泥こぼれが少なくなる。また、万が一飛散しても穴開けガイド板５１上に飛散するため、集めて土のう内に戻すことが可能になる。また、穴開けガイド板５１は、人為的に押さえ付けて密着させる際に簡単には破損しない様な強度が必要であり、穴開けガイド板５１の材質には柔軟性と強度を持ち合わせて経済的なベニヤ合板の使用が良策であり、手の持っての移動や据え付け等の作業性を考慮すると、その板厚は７〜１５ｍｍである。
【００６８】
さらに、穴開けガイド板５１に複数のガイド穴５２を所定の間隔で整列させて設けておけば、対象に整列させて穴開けが可能となる。作物栽培等の農業近代化のために種々考案された育成方法や科学機器による育成促進の管理化に際して、穴配列等の精度が求められており、これに即した穴開けができる。
【００６９】
なお、本実施の形態ではベニヤ合板を用いたが、他の材質の穴開けガイド板５１でも同様の効果が得られる。
【００７０】
また、実施の形態２で用いた切込み深さ調整板４１を併用することによってさらに穴開け作業の効率化を図ることができる。
【産業上の利用可能性】
【００７１】
本発明は、農事用ビニルやフィルム被覆材の穴開けに使用する治具として、作業性と経済性を考慮してより安価なコストで、また高齢者や女性でも楽に使用ができること様に配慮し、小型の電気ドリル又は充電式コードレスドリル等の回転装置に装着して使用するコンパクトな治具であり、また、使い勝手を考慮した穴開けガイド板を使用することを特徴としていることから、林業分野の育苗にも活用できる。
【図面の簡単な説明】
【００７２】
【図１】（ａ）本発明の第１の実施の形態による穴開け治具の平面図、（ｂ）同側面図
【図２】（ａ）同穴開け治具の等辺山形の刃の側面図、（ｂ）同穴開け治具の等辺山形の刃の断面図、（ｃ）同穴開け治具の正弦波形の刃の側面図、（ｄ）同穴開け治具の正弦波形の刃の断面図、（ｅ）同穴開け治具の刃の横断面図
【図３】本発明の第１の実施の形態、第２の実施の形態の穴開け治具のドリル装着図
【図４】（ａ）本発明の第２の実施の形態による穴開け治具の平面図、（ｂ）同１枚の切込み深さ調整板を装着した側断面図、（ｃ）同複数枚の切込み深さ調整板を装着した側断面図
【図５】（ａ）本発明の第３の実施の形態による穴開けガイド板の平面図、（ｂ）同断面図
【図６】（ａ）同、穴開けガイド板の拡大図、（ｂ）同断面図
【図７】従来のポケット状穴付き栽培土のうの図（（ａ）平面図、（ｂ）縦断面図、（ｃ）平面図、（ｄ）縦断面図）
【図８】同複列ポケット状穴付き栽培土のうの図（（ａ）平面図、（ｂ）縦断面図）
【図９】従来のガス加熱式溶融穴開け器具図
【符号の説明】
【００７３】
１    穴開け治具
２    刃体
３    壁体
４    センタードリル
５    ドリルチャック
６    穴開け治具外径
７    穴開け治具側壁開口部
８    刃先部
９    刃体のクサビ形状部
１１  軸芯部
３１  ハンドドリル
４１  切込み深さ調整板
４２  切込み深さ
４４  中心穴
５１  穴開けガイド板
５２  ガイド穴
５３  滑り防止材
５７  農事用ビニルやフィルム被覆材
５８  栽培土
【図１】
2007259798.tif 000003
【図２】
2007259798.tif 000004
【図３】
2007259798.tif 000005
【図４】
2007259798.tif 000006
【図５】
2007259798.tif 000007
【図６】
2007259798.tif 000008
【図７】
2007259798.tif 000009
【図８】
2007259798.tif 000010
【図９】
2007259798.tif 000011